(57)【要約】  端末は、サーバから配信されたコンテンツと、該コンテンツが属するサービスと異なるサービスを削除するためのデータアクセス権とを対応付けて記憶部に記憶する。また、端末は、記憶しているコンテンツから該コンテンツに含まれる記述が示す異なるサービスの削除が要求された際に、記憶部に該コンテンツと前記データアクセス権とが対応付けて記憶されているかどうかを判別する。そして、端末は、異なるサービスの削除を要求してきたコンテンツと該データアクセス権とが記憶部にて対応付けて記憶されていると判別した場合、異なるサービスに属するコンテンツを記憶部から削除する。
2009133727.tif 000002
【特許請求の範囲】
【請求項１】
実行すべき任意の処理を示す記述が含まれた所定のサービスを構成するコンテンツを配信するサーバと接続された端末であって、
前記サーバから配信されたコンテンツと、該コンテンツが属するサービスと異なるサービスを削除するためのデータアクセス権とを対応付けて記憶する記憶部と、
前記記憶しているコンテンツから該コンテンツに含まれる記述が示す前記異なるサービスの削除が要求された際に、前記記憶部にて該コンテンツと前記データアクセス権とが対応付けて記憶されているかどうかを判別する権限判別部と、
前記異なるサービスの削除を要求してきたコンテンツと該データアクセス権とが前記記憶部にて対応付けて記憶されていると前記権限判別部が判別した場合、前記異なるサービスに属するコンテンツを前記記憶部から削除するサービス削除部とを有する端末。
【請求項２】
前記データアクセス権は、前記記憶部に記憶されているコンテンツまたは該コンテンツが用いるデータの削除を行うための権限を含んでおり、
前記記憶されているコンテンツまたは前記データの削除を要求してきたコンテンツと該データアクセス権とが前記記憶部にて対応付けて記憶されていると前記権限判別部が判別した場合、前記削除が要求されたコンテンツまたはデータを該記憶部から削除するコンテンツ削除部を有することを特徴とする請求項１に記載の端末。
【請求項３】
前記データアクセス権は、前記記憶部に記憶されているコンテンツまたは該コンテンツが用いるデータの更新を行うための権限を含んでおり、
前記記憶されているコンテンツの更新を要求してきたコンテンツと該データアクセス権とが前記記憶部にて対応付けて記憶されていると前記権限判別部が判別した場合、該更新が要求されたコンテンツを更新するコンテンツ更新部を有することを特徴とする請求項１または２に記載の端末。
【請求項４】
実行すべき任意の処理を示す記述が含まれた所定のサービスを構成するコンテンツを配信するサーバと接続された端末において、
前記端末が、前記サーバから配信されたコンテンツと、該コンテンツが属するサービスと異なるサービスを削除するためのデータアクセス権とを対応付けて記憶する記憶処理と、
前記端末が、前記記憶しているコンテンツから該コンテンツに含まれる記述が示す前記異なるサービスの削除が要求された際に、前記記憶処理により該コンテンツと前記データアクセス権とが対応付けて記憶されているかどうかを判別する権限判別処理と、
前記端末が、前記異なるサービスの削除を要求してきたコンテンツと該データアクセス権とが前記記憶処理により対応付けて記憶されていると前記権限判別処理にて判別した場合、前記異なるサービスに属するコンテンツを削除するサービス削除処理とを有するウェブアプリケーション動作方法。
【請求項５】
前記データアクセス権は、前記記憶処理により記憶されているコンテンツまたは該コンテンツが用いるデータの削除を行うための権限を含んでおり、
前記端末が、前記記憶されているコンテンツまたは前記データの削除を要求してきたコンテンツと該データアクセス権とが前記記憶処理により対応付けて記憶されていると前記権限判別処理にて判別した場合、前記削除が要求されたコンテンツまたはデータを削除するコンテンツ削除処理を有することを特徴とする請求項４に記載のウェブアプリケーション動作方法。
【請求項６】
前記データアクセス権は、前記記憶処理により記憶されているコンテンツまたは該コンテンツが用いるデータの更新を行うための権限を含んでおり、
前記端末が、前記記憶されているコンテンツの更新を要求してきたコンテンツと該データアクセス権とが前記記憶処理により対応付けて記憶されていると前記権限判別処理にて判別した場合、該更新が要求されたコンテンツを更新するコンテンツ更新処理を有することを特徴とする請求項４または５に記載のウェブアプリケーション動作方法。
【請求項７】
実行すべき任意の処理を示す記述が含まれた所定のサービスを構成するコンテンツを配信するサーバと接続された端末に、
前記サーバから配信されたコンテンツと、該コンテンツが属するサービスと異なるサービスを削除するためのデータアクセス権とを対応付けて記憶する記憶手順と、
前記記憶しているコンテンツから該コンテンツに含まれる記述が示す前記異なるサービスの削除が要求された際に、前記記憶手順により該コンテンツと前記データアクセス権とが対応付けて記憶されているかどうかを判別する権限判別手順と、
前記異なるサービスの削除を要求してきたコンテンツと該データアクセス権とが前記記憶手順により対応付けて記憶されていると前記権限判別手順にて判別した場合、前記異なるサービスに属するコンテンツを削除するサービス削除手順とを実行させるプログラム。
【請求項８】
前記データアクセス権は、前記記憶手順により記憶されているコンテンツまたは該コンテンツが用いるデータの削除を行うための権限を含んでおり、
前記記憶されているコンテンツまたは前記データの削除を要求してきたコンテンツと該データアクセス権とが前記記憶手順により対応付けて記憶されていると前記権限判別手順にて判別した場合、前記削除が要求されたコンテンツまたはデータを削除するコンテンツ削除手順を前記端末に実行させることを特徴とする請求項７に記載のプログラム。
【請求項９】
前記データアクセス権は、前記記憶手順により記憶されているコンテンツまたは該コンテンツが用いるデータの更新を行うための権限を含んでおり、
前記記憶されているコンテンツの更新を要求してきたコンテンツと該データアクセス権とが前記記憶手順により対応付けて記憶されていると前記権限判別手順にて判別した場合、該更新が要求されたコンテンツを更新するコンテンツ更新手順を前記端末に実行させることを特徴とする請求項７または８に記載のプログラム。
【発明の詳細な説明】
【技術分野】
【０００１】
本発明は、端末、ウェブアプリケーション動作方法およびプログラムに関する。
【背景技術】
【０００２】
近年、ウェブサーバが記憶しているコンテンツに対して携帯端末からアクセスするためのウェブアプリケーションシステムが広く普及している。【０００３】
このようなウェブアプリケーションシステムでは、ウェブサーバが記憶しているコンテンツへと携帯端末がアクセスするアクセス方式の１つとして、携帯端末にて起動したブラウザからウェブサーバに記憶されているコンテンツに対してアクセスするアクセス方式が存在する。【０００４】
このようなアクセス方式では、携帯端末上のブラウザは、ウェブサーバ内のコンテンツにアクセスすると、そのコンテンツを携帯端末内のキャッシュ領域へと記憶する。当該アクセスの終了以後、次回に同じコンテンツへと携帯端末からアクセスする際には、キャッシュ領域へと記憶したコンテンツにアクセスすることで、ウェブサーバと接続することなくコンテンツにアクセスすることが可能となる。しかしながら、このような一般的なアクセス方式では、携帯端末にて各種のサービスを提供するアプリケーションを用いて、当該キャッシュ領域内のコンテンツに対してアクセスしたり、当該コンテンツを削除したりすることはできない。【０００５】
このようなキャッシュ領域に記憶されたコンテンツを携帯端末上のアプリケーションが利用する際の汎用性を向上させるための様々な技術が考えられている。【０００６】
例えば、特開２００１−１８４４７２号公報や特開２００４−０８６８９０号公報に開示されているように、ＩＣカードのキャッシュ領域において、複数のアプリケーション（例えば、ゲーム）間にて共通する処理を実行するコンテンツ（スクリプト）を記憶するとともに、複数のアプリケーションそれぞれで互いに異なる処理を行うスクリプトのみを入替えることで、キャッシュ領域内のアプリケーションの入替時の煩雑な処理を不要にできる技術が考えられている。【０００７】
一般的な技術によれば、携帯端末上のブラウザからウェブサーバ内のコンテンツに対してアクセスすると、携帯端末内のキャッシュ領域へと当該コンテンツを記憶する。しかしながら、携帯端末には、小型化および軽量化が要求されるために、携帯端末が具備するメモリにより記憶することができる記憶容量は限られたものとなってしまう。そのため、携帯端末内のキャッシュ領域が有する記憶容量も限られたものとなってしまう。【０００８】
また、一般的な技術によれば、あるアプリケーションが携帯端末にて起動された場合、当該アプリケーションは、携帯端末のキャッシュ領域におけるコンテンツの記憶状態、つまり、自己の起動前からキャッシュ領域へと書込まれ当該起動後においても記憶されている他のアプリケーションに属するコンテンツの有無を認識することができない。そのため、他のコンテンツから、キャッシュ領域に記憶されているコンテンツを指定して削除することができないという問題点がある。【０００９】
また、特開２００１−１８４４７２号公報および特開２００４−０８６８９０号公報に開示された技術によれば、キャッシュ領域に記憶されているゲームを構成するコンテンツの追加、削除および更新を、複数のアプリケーションのうちの特定のアプリケーションからのみ許可するように制御することができないという問題点がある。
【発明の開示】
【００１０】
本発明は、上述した課題を解決するウェブアプリケーションシステム、端末、ウェブアプリケーション動作方法およびプログラムを提供することを目的とする。
【００１１】
上記課題を解決するために、本発明の端末は、実行すべき任意の処理を示す記述が含まれた所定のサービスを構成するコンテンツを配信するサーバと接続された端末であって、前記サーバから配信されたコンテンツと、該コンテンツが属するサービスと異なるサービスを削除するためのデータアクセス権とを対応付けて記憶する記憶部と、前記記憶しているコンテンツから該コンテンツに含まれる記述が示す前記異なるサービスの削除が要求された際に、前記記憶部にて該コンテンツと前記データアクセス権とが対応付けて記憶されているかどうかを判別する権限判別部と、前記異なるサービスの削除を要求してきたコンテンツと該データアクセス権とが前記記憶部にて対応付けて記憶されていると前記権限判別部が判別した場合、前記異なるサービスに属するコンテンツすべてを前記記憶部から削除するサービス削除部とを有する。
【００１２】
上記課題を解決するために、本発明のウェブアプリケーション動作方法は、実行すべき任意の処理を示す記述が含まれた所定のサービスを構成するコンテンツを配信するサーバと接続された端末において、前記端末が、前記サーバから配信されたコンテンツと、該コンテンツが属するサービスと異なるサービスを削除するためのデータアクセス権とを対応付けて記憶する記憶処理と、前記端末が、前記記憶しているコンテンツから該コンテンツに含まれる記述が示す前記異なるサービスの削除が要求された際に、前記記憶処理により該コンテンツと前記データアクセス権とが対応付けて記憶されているかどうかを判別する権限判別処理と、前記端末が、前記異なるサービスの削除を要求してきたコンテンツと該データアクセス権とが前記記憶処理により対応付けて記憶されていると前記権限判別処理にて判別した場合、前記異なるサービスに属するコンテンツを削除するサービス削除処理とを有する。
【００１３】
また、コンピュータに実行させるプログラムであって、実行すべき任意の処理を示す記述が含まれた所定のサービスを構成するコンテンツを配信するサーバと接続された端末に、前記サーバから配信されたコンテンツと、該コンテンツが属するサービスと異なるサービスを削除するためのデータアクセス権とを対応付けて記憶する記憶手順と、前記記憶しているコンテンツから該コンテンツに含まれる記述が示す前記異なるサービスの削除が要求された際に、前記記憶手順により該コンテンツと前記データアクセス権とが対応付けて記憶されているかどうかを判別する権限判別手順と、前記異なるサービスの削除を要求してきたコンテンツと該データアクセス権とが前記記憶手順により対応付けて記憶されていると前記権限判別手順にて判別した場合、前記異なるサービスに属するコンテンツを削除するサービス削除手順とを実行させる。
【００１４】
本発明によれば、実行すべき任意の処理を示す記述が含まれた所定のサービスを構成するコンテンツを配信するサーバと接続された端末において、端末が、サーバから配信されたコンテンツと、コンテンツが属するサービスと異なるサービスを削除するためのデータアクセス権とを対応付けて記憶し、端末が、記憶しているコンテンツからコンテンツに含まれる記述が示す異なるサービスの削除が要求された際に、コンテンツとデータアクセス権とが対応付けて記憶されているかどうかを判別し、端末が、異なるサービスの削除を要求してきたコンテンツとデータアクセス権とが対応付けて記憶されていると判別した場合、異なるサービスに属するコンテンツを削除する構成としたため、互いに異なるサービスを提供するアプリケーションそれぞれが、自己のサービスに属するコンテンツの更新または削除を、自己が許可していない他のコンテンツによって実行されることを回避することができる。
【図面の簡単な説明】
【００１５】
【図１】本発明の実施形態に従ったウェブアプリケーションシステムの構成を示す図である。
【図２】権限付与部が付与する権限の階層を示す図である。
【図３】コンテンツ（スクリプト）の記述内容が示す処理の一例を示す図である。
【図４】図１に示した携帯端末の構成を示す図である。
【図５】図４に示したキャッシュ領域の構成を示す図である。
【図６ａ】図５に示したサービス提供者登録権限情報のデータ構造の一例を示す図である。
【図６ｂ】図５に示したサービス登録権限情報のデータ構造の一例を示す図である。
【図７ａ】図５に示したコンテンツ利用権限情報のデータ構造の一例を示す図である。
【図７ｂ】図５に示したデータアクセス権限情報のデータ構造の一例を示す図である。
【図８】図１に示したウェブサーバの構成を示す図である。
【図９】携帯端末が、１次サービスをキャッシュ領域へと追加する動作を示すフローチャートである。
【図１０】携帯端末が、個別サービスをキャッシュ領域へと追加する動作を示すフローチャートである。
【図１１】携帯端末が、ローカルコンテンツの記述内容に応じて、各種の処理を行う動作を示すフローチャートである。
【図１２】ウェブサーバが、オンラインコンテンツを携帯端末へと送信する動作を示すフローチャートである。
【発明を実施するための最良の形態】
【００１６】
以下、本発明の実施形態に従ったウェブアプリケーションシステム（端末、ウェブアプリケーション動作方法およびプログラムを含む）を説明する。【００１７】
まず、本発明のウェブアプリケーションシステムの全体構成を説明する。【００１８】
図1に示すように、このウェブアプリケーションシステムは、携帯端末１と、ウェブサーバ２と、ネットワーク３とを具備している。【００１９】
携帯端末１は、例えば、携帯型の電子装置で構成され、ウェブサーバ２からコンテンツを受信する「端末」である。【００２０】
また、携帯端末１は、ウェブサーバ２から配信されたコンテンツを、自己が具備する後述の記憶部１１１内のキャッシュ領域１１１Ａへと記憶する。【００２１】
ここで、ウェブサーバ２から受信する「コンテンツ」とは、所定のサービス（例えば、後述の個別サービスＳＶ−１〜ＳＶ−Ｎ）を提供するためのものであり、当該サービスを構成するコンテンツの数は１つ以上である。【００２２】
また、コンテンツは、例えば、ＨＴＭＬのようなタグ言語で記述されるものであり、実行すべき任意の処理を示す「記述」が含まれたコンテンツである。【００２３】
当該コンテンツは、例えば、画面を表示するだけの「記述」を含んでいる場合もある。【００２４】
また、コンテンツは、例えば、変数などの付加データを保持した状態での演算を行うための「記述」を含んだスクリプトの場合もある。【００２５】
さらに、当該コンテンツは、自己と異なる他のコンテンツを実行する処理を示す「記述」を含んでいる場合もある。【００２６】
他のコンテンツ（遷移先のコンテンツ）の実行を示す記述を含むコンテンツ（遷移元のコンテンツ）を実行した場合、当該遷移元のコンテンツに対して、他のコンテンツの実行を許可する権限（後述のコンテンツ利用権ＰＲ３）が付与されていれば、他のコンテンツを実行し、付与されていなければ、エラーとなる。【００２７】
なお、携帯端末１が記憶しているコンテンツまたはウェブサーバ２が記憶しているコンテンツそれぞれは、その実行中に、自己のうちに含まれる記述が示す任意の処理の実行を、携帯端末１（後述のコンテンツ書込部１０２、サービス削除部１０３、コンテンツ更新部１０４、コンテンツ削除部１０５およびコンテンツ実行部１０９それぞれ）へ要求するものとする。【００２８】
携帯端末１上のアプリケーションは、ウェブサーバ２上のコンテンツや、携帯端末１にてあらかじめ記憶されたコンテンツを実行することが可能である。また、これらのコンテンツによって構成されて提供される複数のサービスを登録することが可能である。【００２９】
以下では、携帯端末１におけるサービス全体を管理するための管理サービスを提供する事業者を「1次サービス提供者」といい、1次サービス提供者が提供するサービスを「１次サービスＳＶ−Ｐ」という。【００３０】
なお、１次サービスＳＶ−Ｐには、後述のサービス提供者登録権ＰＲ１を付与する権限が割り当てられている。【００３１】
さらに、１次サービスＳＶ−Ｐには、サービス提供者登録権ＰＲ１とサービス登録権ＰＲ２とが後述のサービス提供者登録部１０１Ａによって付与されている。【００３２】
また、１次サービス提供者の下で管理される複数の個別サービスＳＶ−１〜ＳＶ−Ｎそれぞれを個々に提供する各事業者を「個別サービス提供者」という。【００３３】
個別サービスＳＶ−１〜ＳＶ−Ｎは、例えば、チケット、会員証、クーポン、ポイントカードなどの様々なサービスであり、個別サービスＳＶ−１〜ＳＶ−Ｎの数「Ｎ」は任意でよい。【００３４】
なお、ウェブサーバ２から受信したコンテンツによって構成される個別サービスＳＶ−１〜ＳＶ−Nを携帯端末１へと追加する場合、１次サービスＳＶ−Ｐを携帯端末１へあらかじめ追加しておく必要がある。つまり、当該１次サービスＳＶ−Ｐを用いることにより、携帯端末１は、ウェブサーバ２からの個別サービスＳＶ−１〜ＳＶ−Nを追加することが可能となる。【００３５】
そのため、以下の説明例では、まず、携帯端末１は、ウェブサーバ２へとアクセスして、１次サービスＳＶ−Ｐを受信する場合を例に挙げて説明する。【００３６】
なお、携帯端末１がウェブサーバ２から１次サービスＳＶ−Ｐを受信する際、最初にアクセスするウェブサーバ２上のオンラインコンテンツＯＣはそれ自体も１次サービス提供者が提供するコンテンツである。【００３７】
また、本発明のウェブアプリケーションシステムでは、図２に示すように、ウェブサーバ２から配信されたコンテンツに対して「所定処理」の実行を許可する「権限」（サービス提供者登録権ＰＲ１、サービス登録権ＰＲ２、コンテンツ利用権ＰＲ３、データアクセス権ＰＲ４）を定義する。【００３８】
「サービス提供者登録権ＰＲ１」は、個別サービス提供者の登録の実行を許可する「権限」である。【００３９】
１次サービスＳＶ−Ｐに属するコンテンツは、サービス提供者登録権ＰＲ１を設定することが可能である。【００４０】
なお、１次サービス提供者がサービス提供者登録権ＰＲ１を設定することは、１次サービス提供者を再度設定することに相当する。【００４１】
「サービス登録権ＰＲ２」は、個別サービスＳＶ−１〜ＳＶ−Ｎの登録の実行を許可する「権限」である。【００４２】
サービス提供者登録権ＰＲ１を付与された個別サービスＳＶ−１〜ＳＶ−Ｎに属するコンテンツは、サービス登録権ＰＲ２を設定することが可能である。【００４３】
「コンテンツ利用権ＰＲ３」は、コンテンツ（スクリプトを含む）を実行することを許可する「権限」である。【００４４】
サービス登録権ＰＲ２を付与された個別サービスＳＶ−１〜ＳＶ−Ｎに属するコンテンツは、コンテンツ利用権ＰＲ３を設定することが可能である。【００４５】
「データアクセス権ＰＲ４」は、個別サービスＳＶ−１〜ＳＶ−Nに属する各種のデータの読出や書込（更新）を許可する「権限」である。【００４６】
ここで、個別サービスＳＶ−１〜ＳＶ−Nに属する各種のデータとは、当該個別サービスＳＶ−１〜ＳＶ−Nを構成するサービス構成コンテンツ、当該個別サービスＳＶ−１〜ＳＶ−Nを提供する際に用いられるサービス利用データＤＳ−１〜ＤＳ−Ｎなどである。【００４７】
また、「データアクセス権ＰＲ４」は、個別サービスＳＶ−１〜ＳＶ−Nに属する全部または一部のコンテンツの削除を許可する「権限」である。つまり、データアクセス権ＰＲ４により、個別サービス単位でコンテンツを削除する、つまり、個別サービスＳＶ−１〜ＳＶ−Ｎそれぞれを個別に削除することが可能である。【００４８】
サービス登録権ＰＲ２を付与された個別サービスＳＶ−１〜ＳＶ−Ｎに属するコンテンツは、データアクセス権ＰＲ４を設定することが可能である。【００４９】
携帯端末１は、個別サービスＳＶ−１〜ＳＶ−Ｎに属するコンテンツを実行する過程で各権限（サービス提供者登録権ＰＲ１、サービス登録権ＰＲ２、コンテンツ利用権ＰＲ３およびデータアクセス権ＰＲ４のうちの少なくとも１つ）を設定する。【００５０】
そして、携帯端末１は、コンテンツ内の記述が示す任意の処理の実行に先立って、当該処理を実行するために必要とされる権限が当該コンテンツに対して付与されているかどうかを判別する。【００５１】
さらに、携帯端末１は、処理を実行するために必要な権限が付与されていると判別した場合に、コンテンツの記述に従った任意の処理を実行する。【００５２】
なお、ここでいうコンテンツの「記述」が示す任意の処理とは、例えば、図３に示すような処理、つまり、サービスの登録、サービスの削除、他の個別サービスに属するコンテンツの実行、コンテンツの変更や削除、付加データの算出などである。【００５３】
図１に示したウェブサーバ２は、コンテンツを記憶する「サーバ」である。以下では、ウェブサーバ２が記憶しているコンテンツを「オンラインコンテンツＯＣ」という。【００５４】
ウェブサーバ２は、携帯端末１からの閲覧要求信号を受信した場合、オンラインコンテンツＯＣへのアクセスを許可する。そして、ウェブサーバ２は、オンラインコンテンツＯＣを携帯端末１へ送信する。【００５５】
ネットワーク３は、携帯端末１とウェブサーバ２との間で任意のデータを送受信することが可能なよう、携帯端末１とウェブサーバ２とを相互に接続する。ネットワーク３の通信形態は、有線通信方式と無線通信方式とのいずれでもよい。【００５６】
つぎに、携帯端末１およびウェブサーバ２それぞれが有する構成について、詳細に説明する。【００５７】
まず、携帯端末１の構成について、詳細に説明する。【００５８】
図４に示すように、携帯端末１は、権限付与部１０１と、コンテンツ書込部１０２と、サービス削除部１０３と、コンテンツ更新部１０４と、コンテンツ削除部１０５と、コンテンツ読出部１０６と、解釈部１０７と、権限判別部１０８と、コンテンツ実行部１０９と、通信部１１０と、記憶部１１１と、表示部１１２と、入力部１１３とを有する。【００５９】
権限付与部１０１は、コンテンツが実行された際に所定処理を行うための４つの「権限」、つまり、サービス提供者登録権ＰＲ１、サービス登録権ＰＲ２、コンテンツ利用権ＰＲ３およびデータアクセス権ＰＲ４を付与する。【００６０】
権限付与部１０１は、サービス提供者登録部１０１Ａと、サービス登録部１０１Ｂとを有する。【００６１】
サービス提供者登録部１０１Ａは、コンテンツ実行部１０９により実行されているコンテンツ（スクリプト）からの要求に応じて、当該コンテンツに対してサービス提供者登録権ＰＲ１を付与する。【００６２】
また、サービス提供者登録部１０１Ａは、サービス提供者登録権ＰＲ１を付与した場合、当該サービス提供者登録権ＰＲ１を付与した個別サービスをサービス提供者登録権限情報ＩＦ１へと登録する。【００６３】
つまり、サービス提供者登録権限情報ＩＦ１は、サービス提供者登録権ＰＲ１が付与された個別サービスＳＶ−１〜ＳＶ−Ｎが登録されている情報である。サービス提供者登録権限情報ＩＦ１のデータ構造については特に限定しないが、例えば、サービス提供者登録権ＰＲ１と、当該サービス提供者登録権ＰＲ１を付与した個別サービスとを対応付けたデータ構造でもよい。なお、サービス提供者登録権限情報ＩＦ１は、キャッシュ領域１１１Ａ内の後述の共通領域ＣＡに記憶されている。【００６４】
また、サービス提供者登録部１０１Ａは、サービス提供者登録権ＰＲ１を付与されたコンテンツから要求された場合、共通領域ＣＡ内のサービス提供者登録権限情報ＩＦ１を再度設定することが可能である。【００６５】
また、サービス提供者登録部１０１Ａは、サービス提供者登録権ＰＲ１が付与された個別サービスＳＶ−１〜ＳＶ−Ｎに属するコンテンツからの要求に応じて、当該コンテンツに対してサービス登録権ＰＲ２を付与する。【００６６】
また、サービス提供者登録部１０１Ａは、サービス登録権ＰＲ２を付与した場合、当該サービス登録権ＰＲ２を付与した個別サービスをサービス登録権限情報ＩＦ２へと登録する。【００６７】
つまり、サービス登録権限情報ＩＦ２は、サービス登録権ＰＲ２が付与された個別サービスＳＶ−１〜ＳＶ−Ｎが登録されている情報である。サービス登録権限情報ＩＦ２のデータ構造については特に限定しないが、例えば、サービス登録権ＰＲ２と、当該サービス登録権ＰＲ２を付与した個別サービスとを対応付けたデータ構造でもよい。なお、サービス登録権限情報ＩＦ２は、キャッシュ領域１１１Ａ内の共通領域ＣＡに記憶されている。【００６８】
上述のサービス提供者登録権ＰＲ１およびサービス登録権ＰＲ２それぞれは、例えば、その権限を付与されたコンテンツが格納されている格納場所（例えば、フォルダ）を示すＵＲＬ（Uniform  Resource  Locator）として記述することが可能である。以下では、ウェブサーバ２にて記憶されているオンラインコンテンツＯＣおよび携帯端末１にて記憶されているコンテンツであるローカルコンテンツＬＣそれぞれの格納場所に対して、ＵＲＬが一意に表現できる場合を例に挙げて説明する。【００６９】
この場合、サービス提供者登録権ＰＲ１として設定したＵＲＬが示す格納場所に記憶されているコンテンツのみが、サービス登録権ＰＲ２の設定と、サービス提供者登録権ＰＲ１の再設定とを行うことが可能である。【００７０】
また、サービス登録権ＰＲ２として設定したＵＲＬが示す格納場所に記憶されているコンテンツのみが、キャッシュ領域１１１Ａへと個別サービスの登録（新規追加）を行うことが可能である。【００７１】
サービス登録部１０１Ｂは、個別サービスが新規に追加される場合、サービス提供者登録部１０１Ａによりサービス登録権ＰＲ２が付与された当該サービスに属するコンテンツを実行するための、コンテンツ利用権ＰＲ３またはデータアクセス権ＰＲ４を設定する。【００７２】
サービス登録部１０１Ｂは、追加されるサービス（１次サービスＳＶ−Ｐまたは個別サービスＳＶ−１〜ＳＶ−Ｎ）に属するコンテンツに対してコンテンツ利用権ＰＲ３を付与した場合、当該コンテンツをコンテンツ利用権限情報ＩＦ３へと登録する。なお、コンテンツ利用権限情報ＩＦ３は、当該コンテンツが属するサービスに割り当てられたサービス領域に記憶されている。【００７３】
また、サービス登録部１０１Ｂは、追加されるサービス（１次サービスＳＶ−Ｐまたは個別サービスＳＶ−１〜ＳＶ−Ｎ）に属するコンテンツに対してデータアクセス権ＰＲ４を付与した場合、当該コンテンツをデータアクセス権限情報ＩＦ４へと登録する。なお、データアクセス権限情報ＩＦ４は、当該コンテンツが属するサービスに割り当てられたサービス領域ＰＡまたはＳＡ−１〜ＳＡ−Ｎに記憶されている。【００７４】
コンテンツ利用権ＰＲ３は、例えば、他のコンテンツからの実行対象である異なるコンテンツ（遷移先コンテンツ）を識別するための遷移先識別情報と、遷移先コンテンツを実行することが許可された他のコンテンツ（遷移元コンテンツ）を識別するための遷移元識別情報とを組合せたものである。【００７５】
ここで、遷移先識別情報および遷移元識別情報それぞれの形態については特に限定しない。例えば、遷移先識別情報は、遷移先コンテンツが格納されている格納場所を示すＵＲＬ（以下、「遷移先ＵＲＬ」という）でもよい。また、例えば、遷移元識別情報は、遷移元コンテンツが格納されている格納場所を示すＵＲＬ（以下、「遷移元ＵＲＬ」という）でもよい。【００７６】
以下の説明例では、コンテンツ利用権ＰＲ３は、遷移先ＵＲＬと、遷移元ＵＲＬと、コンテンツ利用権ＰＲ３とを組合せて対応付けたデータ構造である場合を例に挙げて説明する。【００７７】
コンテンツ利用権ＰＲ３のうちに設定された遷移元ＵＲＬ（識別情報）が示す格納場所に格納されている遷移元コンテンツからのみ、遷移先ＵＲＬが示す格納場所に格納されている遷移先コンテンツ（「異なるコンテンツ」）を実行することが可能である。【００７８】
なお、ここでいう遷移元ＵＲＬとしては、ウェブサーバ２が記憶しているオンラインコンテンツＯＣの格納場所を示すＵＲＬであってもよい。また、個別サービスＳＶ−１〜ＳＶ−Ｎそれぞれについて、遷移先コンテンツと遷移元コンテンツとの組は複数設定することが可能である。【００７９】
また、個別サービスＳＶ−１に属するコンテンツを遷移先コンテンツとして設定する場合、当該個別サービスＳＶ−１の個別サービス提供者が、入力部１１３を用いて、遷移元ＵＲＬとして他の個別サービスＳＶ−２〜ＳＶ−Ｎに属するコンテンツの格納場所を設定するとともに、個別サービスＳＶ−１のコンテンツの格納場所を遷移先ＵＲＬとして設定する。【００８０】
データアクセス権ＰＲ４は、ＵＲＬとして表現することが可能である。つまり、データアクセス権ＰＲ４として設定したＵＲＬが示す格納場所に格納されているコンテンツのみが、個別サービスＳＶ−１〜ＳＶ−Ｎに対してそれぞれ割当てられたサービス領域ＳＡ−１〜ＳＡ−Ｎに記憶されているデータに対して読出や書込を行うことが可能である。【００８１】
サービス領域ＳＡ−１〜ＳＡ−Ｎに記憶されているデータとは、例えば、個別サービスＳＶ−１〜ＳＶ−Ｎを構成するコンテンツであるサービス構成コンテンツＣＳ−１〜ＣＳ−N、当該サービス構成コンテンツＣＳ−１〜ＣＳ−Ｎが利用する付加データであるサービス利用データＤＳ−１〜ＤＳ−Ｎ（例えば、画像や変数など）、および、コンテンツ利用権限情報ＩＦ３やデータアクセス権限情報ＩＦ４を含む。【００８２】
権限付与部１０１は、記憶部１１１内にサービスを登録（追加）する場合、当該サービスのデータへのアクセスを許可するためのデータアクセス権ＰＲ４をコンテンツへ付与する際、当該コンテンツの格納場所を示すＵＲＬを指定する。【００８３】
例えば、あるデータへのアクセスを許可するデータアクセス権ＰＲ４が付与されたコンテンツを指定するために、携帯端末１のＵＲＬとして「local://xxx/yyy/」が指定されているものとする。【００８４】
この場合、ＵＲＬが示す格納場所（例えば、local://xxx/yyy/a1.xml、local://xxx/yyy/a2.xml、local://xxx/yyy/a3.xml）に存在するローカルコンテンツＬＣから、そのデータにアクセスした上で行う必要のある「所定処理」（サービスの削除、コンテンツの更新・削除の処理など）を実行することが可能である。【００８５】
また、例えば、あるデータへのアクセスを許可するデータアクセス権ＰＲ４が付与されたコンテンツを指定するために、ウェブサーバ２のＵＲＬとして「http://aaa/bbb/」が指定されているものとする。【００８６】
この場合、ＵＲＬが示す格納場所（例えば、http://aaa/bbb/c1.xml、http://aaa/bbb/ccc/d1.xml、http://aaa/bbb/ccc/ddd/e1.xml）に存在するオンラインコンテンツＯＣから、そのデータにアクセスした上で行う必要のある「所定処理」（サービスの削除、コンテンツの更新・削除の処理など）を実行することが可能である。【００８７】
なお、データアクセス権ＰＲ４として指定するＵＲＬの記述に応じて、あるサービスに属するコンテンツすべてに対してデータアクセス権ＰＲ４を付与することが可能である。また、あるサービスに属する一部のコンテンツに対してデータアクセス権ＰＲ４を付与することが可能である。【００８８】
コンテンツ書込部１０２は、「コンテンツ書込処理」を実行する。「コンテンツ書込処理」において、コンテンツ書込部１０２は、通信部１１０がウェブサーバ２から受信したオンラインコンテンツＯＣ（サービス構成コンテンツＣＳ）を、当該オンラインコンテンツＯＣが属する個別サービス（例えば、個別サービスＳＶ−Ｍとする）単位で記憶部１１１へ記憶する。これにより、個別サービスＳＶ−Ｍを携帯端末１へ追加する。【００８９】
このとき、コンテンツ書込部１０２は、個別サービスＳＶ−Ｍを構成するサービス構成コンテンツＣＳを、当該個別サービスＳＶ−Ｍに対してキャッシュ領域１１１Ａ内で割り当てられたサービス領域ＳＡ−Ｍへと記憶する。なお、コンテンツ書込部１０２は、オンラインコンテンツＯＣが属する個別サービスについてのデータアクセス権ＰＲ４を付与されたコンテンツから書込が要求された場合のみ、オンラインコンテンツＯＣを記憶部１１１に記憶する。【００９０】
サービス削除部１０３は、「サービス削除処理」を実行し、サービスの削除を示す「記述」を含んだコンテンツからの要求に応じて、削除対象の個別サービスＳＶ−１〜ＳＶ−Nを記憶部１１１から削除する、つまり、個別サービスＳＶ−１〜ＳＶ−N単位でサービス構成コンテンツＣＳ−１〜ＣＳ−Nやサービス利用データＤＳ−１〜ＤＳ−Ｎを記憶部１１１から削除する。【００９１】
なお、サービス削除部１０３は、削除を要求してきたコンテンツに対して、削除対象の個別サービスＳＶ−１〜ＳＶ−Nについてのデータアクセス権ＰＲ４が付与されている場合に、削除対象のサービスに属するコンテンツを削除する。【００９２】
また、サービス削除部１０３は、個別サービスＳＶ−１〜ＳＶ−Nを削除した場合、キャッシュ領域１１０Ａにて当該個別サービスＳＶ−１〜ＳＶ−Nに割り当てられていたサービス領域ＳＡ−１〜ＳＡ−Nを解放する。【００９３】
コンテンツ更新部１０４は、「コンテンツ更新処理」を実行し、コンテンツの更新を示す「記述」を含むコンテンツからの更新の要求に応じて、更新対象のコンテンツを更新する。ここでいう「更新」とは、例えば、コンテンツ（スクリプトなど）に含まれている記述内容の変更である。【００９４】
なお、コンテンツ更新部１０４は、更新を要求したコンテンツに対して、更新される対象のコンテンツについてのデータアクセス権ＰＲ４が付与されている場合に、更新対象のコンテンツを更新する。【００９５】
コンテンツ削除部１０５は、コンテンツの削除を示す「記述」を含んだコンテンツからの要求に応じて、削除対象のコンテンツを記憶部１１１から削除する。【００９６】
なお、コンテンツ削除部１０５は、「コンテンツ削除処理」を実行し、削除を要求したコンテンツに対して、削除される対象のコンテンツについてのデータアクセス権ＰＲ４が付与されている場合に、削除対象のコンテンツを削除する。【００９７】
コンテンツ読出部１０６は、通信部１１０により携帯端末１とウェブサーバ２とが接続されている場合、オンラインコンテンツＯＣをウェブサーバ２から読み取る。【００９８】
また、コンテンツ読出部１０６は、記憶部１１１に記憶されているローカルコンテンツＬＣ（例えば、サービス構成コンテンツＣＳ−１〜ＣＳ−N）を読み取る。なお、コンテンツ読出部１０６は、オンラインコンテンツＯＣやローカルコンテンツＬＣがＵＲＬで指定されている場合、当該ＵＲＬが示す格納場所からオンラインコンテンツＯＣやローカルコンテンツＬＣを読み出す。【００９９】
解釈部１０７は、コンテンツ読出部１０６が記憶部１１１から読み出したコンテンツに含まれる「記述」が示す任意の処理、つまり、コンテンツから実行が要求された任意の処理を解釈する。【０１００】
当該解釈により、解釈部１０７は、コンテンツから実行が要求された任意の処理と、権限付与部１０１が付与した「権限」（サービス提供者登録権ＰＲ１、サービス登録権ＰＲ２、コンテンツ利用権ＰＲ３およびデータアクセス権ＰＲ４のいずれか）によって実行が許可される「所定処理」とが一致するかどうかを判別する。【０１０１】
権限判別部１０８は、コンテンツ読出部１０６が読み出したコンテンツの「記述」が示す処理と、「権限」によって実行が許可される所定処理とが一致すると解釈部１０７が判別した場合、「権限判別処理」を実行する。【０１０２】
これにより、権限判別部１０８は、コンテンツ読出部１０６が読み出したコンテンツに対する、所定処理を実行するための「権限」（サービス提供者登録権ＰＲ１、サービス登録権ＰＲ２、コンテンツ利用権ＰＲ３およびデータアクセス権ＰＲ４）の付与の有無を判別する。【０１０３】
例えば、権限判別部１０８は、共通領域ＣＡに記憶されているサービス提供者登録権限情報ＩＦ１の参照により、サービス提供者登録権ＰＲ１が付与されているかどうかを判別する。【０１０４】
また、例えば、権限判別部１０８は、共通領域ＣＡに記憶されているサービス登録権限情報ＩＦ２の参照により、サービス登録権ＰＲ２が付与されているかどうかを判別する。【０１０５】
また、例えば、権限判別部１０８は、サービス領域ＳＡ−１〜ＳＡ−Ｎに記憶されているコンテンツ利用権限情報ＩＦ３−１〜ＩＦ３−Ｎの参照により、異なるサービスに属するコンテンツの実行を要求してきたコンテンツとコンテンツ利用権ＰＲ３とが記憶部１１１にて対応付けて記憶されているかどうか、つまり、異なるサービスに属するコンテンツの実行を要求してきたコンテンツに対してコンテンツ利用権ＰＲ３が付与されているかどうかを判別する。【０１０６】
なお、権限判別部１０８は、遷移元ＵＲＬと遷移先ＵＲＬとを参照し、遷移元ＵＲＬが示す格納場所に存在するコンテンツに対して、遷移先ＵＲＬが示す格納場所に存在するコンテンツを実行することが許可されていると識別する。【０１０７】
また、例えば、権限判別部１０８は、サービス領域ＳＡ−１〜ＳＡ−Ｎに記憶されているデータアクセス権限情報ＩＦ４−１〜ＩＦ４−Ｎの参照により、データへのアクセスを要求してきたコンテンツとデータアクセス権ＰＲ４とが記憶部１１１にて対応付けて記憶されているかどうか、つまり、データへのアクセスを要求してきたコンテンツに対してデータアクセス権ＰＲ４が付与されているかどうかを判別する。【０１０８】
コンテンツ実行部１０９は、「コンテンツ実行処理」により、当該コンテンツを実行するために必要なコンテンツ利用権ＰＲ３とデータアクセス権ＰＲ４とがコンテンツに付与されていると権限判別部１０８が判別した場合、自己が現在実行しているコンテンツの「記述」に従って各種の処理を実行する。【０１０９】
コンテンツ実行部１０９が実行する処理とは、例えば、変数などの付加データを記憶部１１１へと記憶させる処理、コンテンツの実行結果を表示部１１２へと出力する処理などである。【０１１０】
なお、コンテンツ利用権ＰＲ３とデータアクセス権ＰＲ４とがコンテンツに付与されていないと権限判別部１０８が判別した場合、コンテンツ実行部１０９は、所定の権限エラー対応処理を実行するようにしてもよい。【０１１１】
なお、権限付与部１０１、コンテンツ書込部１０２、サービス削除部１０３、コンテンツ更新部１０４およびコンテンツ削除部１０５それぞれは、コンテンツ読出部１０６とコンテンツ実行部１０９とによって実行される一連の処理の間に、自己の処理を実行する。【０１１２】
そのため、権限付与部１０１、コンテンツ書込部１０２、サービス削除部１０３、コンテンツ更新部１０４およびコンテンツ削除部１０５による処理以外の処理についても、解釈部１０７が解釈した処理内容に応じて、権限判別部１０８による権限の有無の判別を行うようにしてもよい。そして、権限が付与されていると判別された場合に、コンテンツ実行部１０９が、実行対象のコンテンツの記述内容に従った処理を行うことが可能である。【０１１３】
通信部１１０は、例えば、通信モジュールで構成され、携帯端末１とウェブサーバ２とを通信可能に接続することにより、携帯端末１とウェブサーバ２との間で任意の情報を送受信する。【０１１４】
例えば、通信部１１０は、ウェブサーバ２が記憶しているオンラインコンテンツＯＣの閲覧の許可を要求するための閲覧要求信号を、ウェブサーバ２へと送信する。【０１１５】
また、例えば、通信部１１０は、閲覧要求信号に応答してウェブサーバ２からアクセスが許可されたオンラインコンテンツＯＣを受信する。【０１１６】
記憶部１１１は、例えば、メモリモジュールで構成され、「記憶処理」を実行することにより任意の情報を記憶する。【０１１７】
記憶部１１１は、キャッシュ領域１１１Ａと、メイン領域１１１Ｂとの２つの記憶領域を有する。【０１１８】
キャッシュ領域１１１Ａは、記憶部１１１に記憶されているデータのうちで読み出される頻度が高いデータ（例えば、通信部１１０がウェブサーバ２から受信したオンラインコンテンツＯＣ）をコンテンツ読出部１０６が高速に読出可能とするために設けられている。この説明例では、キャッシュ領域１１１Ａは、メイン領域１１１Ｂを構成するメモリモジュールよりも読出速度が高速な、つまり、高速にアクセスすることが可能なキャッシュメモリモジュールである場合を例に挙げて説明する。【０１１９】
以下、キャッシュ領域１１１Ａの構成について説明する。【０１２０】
図５に示すように、キャッシュ領域１１１Ａは、共通領域ＣＡと、1次サービス提供者のサービス領域である「１次サービス領域ＰＡ」と、個別サービスＳＶ−１〜ＳＶ−Ｎそれぞれに割り当てられたサービス領域である「個別サービス領域ＳＡ−１〜ＳＡ−Ｎ」とを含んでいる。【０１２１】
共通領域ＣＡには、サービス提供者登録権限情報ＩＦ１と、サービス登録権限情報ＩＦ２とが記憶されている。【０１２２】
図６ａに示すように、サービス提供者登録権限情報ＩＦ１は、サービス提供者登録権ＰＲ１が付与されたコンテンツを示す情報である。【０１２３】
また、図６ｂに示すように、サービス登録権限情報ＩＦ２は、サービス登録権ＰＲ２が付与されたコンテンツを示す情報である。【０１２４】
なお、サービス提供者登録部１０１Ａは、サービス提供者登録権限情報ＩＦ１およびサービス登録権限情報ＩＦ２それぞれを変更することが可能である。【０１２５】
１次サービス領域ＰＡは、１次サービス提供者の１次サービスＳＶ−Ｐに関する様々なデータを記憶する領域である。【０１２６】
例えば、１次サービス領域ＰＡは、コンテンツ利用権限情報ＩＦ３−Ｐと、データアクセス権限情報ＩＦ４−Ｐと、サービス構成コンテンツＣＳ−Ｐと、サービス利用データＤＳ−Ｐとを記憶する。【０１２７】
コンテンツ利用権限情報ＩＦ３−Ｐは、１次サービスＳＶ−Ｐに属するコンテンツを利用するためのコンテンツ利用権ＰＲ３が付与されたコンテンツを示す情報である。【０１２８】
データアクセス権限情報ＩＦ４−Ｐは、１次サービスＳＶ−Ｐに属するコンテンツにて用いられるデータを利用するためのデータアクセス権ＰＲ４が付与されたコンテンツを示す情報である。【０１２９】
サービス構成コンテンツＣＳ−Ｐは、１次サービスＳＶ−Ｐを構成する１つ以上のコンテンツである。【０１３０】
サービス利用データＤＳ−Ｐは、コンテンツ実行部１０９が１次サービスＳＶ−Ｐに属するコンテンツを実行したときに、当該実行の過程で生成した任意のデータ（例えば、変数、実行結果など）である。【０１３１】
個別サービス領域ＳＡ−１〜ＳＡ−Ｎは、個別サービスＳＶ−１〜ＳＶ−Ｎそれぞれに関するデータを記憶する領域である。個別サービス領域ＳＡ−１〜ＳＡ−Ｎそれぞれが記憶するデータは同一のデータ構造を有するため、以下では、個別サービスＳＶ−１に関するデータを記憶する個別サービス領域ＳＡ−１について説明する。【０１３２】
個別サービス領域ＳＡ−１は、コンテンツ利用権限情報ＩＦ３−１と、データアクセス権限情報ＩＦ４−１と、サービス構成コンテンツＣＳ−１と、サービス利用データＤＳ−１とを記憶する。【０１３３】
コンテンツ利用権限情報ＩＦ３−１は、個別サービスＳＶ−１に属するコンテンツを利用するためのコンテンツ利用権ＰＲ３が付与されたコンテンツを示す情報である。【０１３４】
図７ａに示すように、コンテンツ利用権限情報ＩＦ３−１は、実行対象となる遷移先コンテンツの格納場所を示す遷移先ＵＲＬ（遷移先識別情報）と、遷移先コンテンツを実行することを許可する遷移元コンテンツの格納場所を示す遷移先ＵＲＬ（遷移元識別情報）とを対応付ける情報である。なお、遷移先ＵＲＬと遷移元ＵＲＬとの組は、複数設定することが可能である。【０１３５】
図７ｂに示すように、データアクセス権限情報ＩＦ４−１は、個別サービスＳＶ−１に属するコンテンツにて用いられるデータを利用するためのデータアクセス権ＰＲ４が付与されたコンテンツを示す情報である。【０１３６】
図７ｂの例では、個別サービスＳＶ−１に属するコンテンツそのものに加えて、個別サービスＳＶ−２、ＳＶ−３およびＳＶ−Ｎに属するコンテンツが、個別サービスＳＶ−１に属するデータに対する読出または書込を行うことが可能である。【０１３７】
サービス構成コンテンツＣＳ−１は、個別サービスＳＶ−１を構成する１つ以上のコンテンツである。【０１３８】
サービス利用データＤＳ−１は、コンテンツ実行部１０９が個別サービスＳＶ−１に属するコンテンツを実行したときに、当該実行の過程で生成した任意のデータ（例えば、変数、実行結果など）である。【０１３９】
また、図４に示したメイン領域１１１Ｂは、キャッシュ領域１１１Ａへの記憶対象（例えば、オンラインコンテンツＯＣやローカルコンテンツＬＣ）以外の任意のデータを記憶する。【０１４０】
表示部１１２は、例えば、ＬＣＤ（液晶表示）パネルで構成され、任意のデータを表示する。例えば、表示部１１２は、コンテンツ実行部１０９から出力されてきたコンテンツの実行結果を表示する。【０１４１】
入力部１１３は、利用者が行う操作に応じた情報の入力を受け付ける。例えば、入力部１１３は、個別サービスＳＶ−１〜ＳＶ−Ｎに属するコンテンツ（スクリプト）の実行を利用者が指示するために用いられる。また、例えば、入力部１１３は、個別サービス提供者が、自己の個別サービスについてのコンテンツ利用権限情報ＩＦ３へと新たに遷移元ＵＲＬ（アクセスを許可するコンテンツ）を追加したりするために用いられる。【０１４２】
つぎに、ウェブサーバ２の構成について詳細に説明する。【０１４３】
図８に示すように、ウェブサーバ２は、通信部２０１と、記憶部２０２と、ＵＲＬ識別部２０３と、コンテンツ抽出部２０４とを有する。【０１４４】
通信部２０１は、例えば、通信モジュールで構成され、ウェブサーバ２と携帯端末１との間で任意のデータを送受信する。【０１４５】
例えば、通信部２０１は、閲覧要求信号を携帯端末１から受信する。【０１４６】
また、例えば、通信部２０１は、コンテンツ抽出部２０４が記憶部２０２から読み出したオンラインコンテンツＯＣを携帯端末１へと送信する。【０１４７】
記憶部２０２は、任意のデータを記憶する。例えば、記憶部２０２は、オンラインコンテンツＯＣを記憶する。【０１４８】
なお、記憶部２０２は、ＵＲＬで識別される格納場所（例えば、フォルダ）に、オンラインコンテンツＯＣを記憶する。【０１４９】
ＵＲＬ識別部２０３は、携帯端末１から送信されてきた閲覧要求信号が示す格納場所を、記憶部２０２のうちから識別する。【０１５０】
コンテンツ抽出部２０４は、ＵＲＬ識別部２０３が識別した格納場所に格納されているオンラインコンテンツＯＣ（例えば、サービス構成コンテンツＣＳ）を読み出す。【０１５１】
つぎに、上記構成を有するウェブアプリケーション管理システムにおいて、携帯端末１がコンテンツに関連する各種処理を行うときの動作を説明する。【０１５２】
まず、ウェブサーバ２から１次サービスＳＶ−Ｐを構成するオンラインコンテンツＯＣ（サービス構成コンテンツＣＳ）を受信して、受信したオンラインコンテンツＯＣによって提供される１次サービスＳＶ−Ｐを携帯端末１へと追加する動作について説明する。【０１５３】
図９に示すように、ステップ１１にて、通信部１１０は、ウェブサーバ２へと閲覧要求信号を送信する。これにより、通信部１１０は、ウェブサーバ２においてウェブサーバ２の１次サービス提供者が提供するコンテンツへとアクセスする。このコンテンツには、サービス提供者登録権ＰＲ１とサービス登録権ＰＲ２とが付与されている。【０１５４】
続いて、ステップ１２にて、通信部１１０は、１次サービスＳＶ−Ｐのサービス構成コンテンツＣＳを、ウェブサーバ２から受信する。【０１５５】
続いて、ステップ１３にて、サービス登録部１０１Ｂは、通信部１１０が受信した１次サービスＳＶ−Ｐを構成するコンテンツに対して、１次サービスＳＶ−Ｐについてのコンテンツ利用権ＰＲ３とデータアクセス権ＰＲ４とを付与する。【０１５６】
このとき、サービス登録部１０１Ｂは、図５に示したサービス領域ＰＡのコンテンツ利用権限情報ＩＦ３−Ｐまたはデータアクセス権限情報ＩＦ４−Ｐに、コンテンツ利用権ＰＲ３またはデータアクセス権ＰＲ４それぞれを付与したコンテンツを登録する。【０１５７】
さらに、ステップ１４にて、コンテンツ書込部１０２は、１次サービスＳＶ−Ｐを構成するウェブサーバ２からのサービス構成コンテンツＣＳを、１次サービスＳＶ−Pに割り当てられた１次サービス領域ＰＡへと書き込む。【０１５８】
なお、携帯端末１がウェブサーバ２から受信する１次サービスＳＶ−Ｐのサービス形態については特に限定しない。【０１５９】
例えば、本発明のウェブアプリケーションシステムに登録された個別サービスＳＶ−１〜ＳＶ−Nの一覧を表示部１１２により表示して、当該一覧のうちから利用者が所望する個別サービスを入力部１１３により指定して、指定された個別サービスを実行するサービス形態でもよい。【０１６０】
また、例えば、キャッシュ領域１１１Ａに記憶されている個別サービスを削除するサービス形態でもよい。【０１６１】
１次サービスＳＶ−Ｐは、さらに、個別サービス提供者が提供する個別サービスをキャッシュ領域１１１Ａへと新たに追加してもよい。つまり、サービス登録部１０１Ｂが、当該個別サービスについてのコンテンツ利用権ＰＲ３およびデータアクセス権ＰＲ４を設定し、さらに、コンテンツ書込部１０２が、当該個別サービスＳＶに属するコンテンツを、その個別サービスＳＶに割り当てたサービス領域ＳＡへと書込む。【０１６２】
１次サービスＳＶ−Ｐの携帯端末１への追加後、権限判別部１０８は、サービス提供者登録権ＰＲ１が付与されているかどうかを判別する。そして、サービス提供者登録部１０１Ａは、権限判別部１０８がサービス提供者登録権ＰＲ１が付与されていると判別したコンテンツに対してのみ、サービス登録権ＰＲ２の設定、サービス提供者登録権ＰＲ１の再設定などを行う。【０１６３】
以上で、１次サービスＳＶ−Ｐを携帯端末１へと追加する動作が終了する。【０１６４】
つぎに、携帯端末１が個別サービス（この例では、個別サービスＳＶ−Ｍとする）を新たに追加する場合の動作について説明する。【０１６５】
なお、説明の前提として、携帯端末１の通信部１１０は、ウェブサーバ２からオンラインコンテンツＯＣを受信するために必要なアプリケーション（１次サービスＳＶ−Ｐ）を、ウェブサーバ２からすでに受信しているものとする。【０１６６】
個別サービスＳＶ−Ｍを新たに追加する場合、アプリケーション（１次サービスＳＶ−P）を携帯端末１にて起動する。【０１６７】
起動後、図１０に示すように、ステップ２１にて、コンテンツ読出部１０６は、ウェブサーバ２内のオンラインコンテンツＯＣ（追加対象の個別サービスＳＶ−Ｍを構成するサービス構成コンテンツＣＳ−Ｍ）を読み出す。【０１６８】
ステップ２２にて、解釈部１０７は、コンテンツ読出部１０６が読み出したオンラインコンテンツＯＣの記述が示す処理、つまり、オンラインコンテンツＯＣから実行が要求された任意の処理を解釈する。この例では、解釈部１０７は、個別サービスＳＶ−Ｍを追加する処理が要求されていると解釈する。そして、解釈した処理（「個別サービスの追加」）は、権限付与部１０１が付与したサービス登録権ＰＲ２によって実行が許可される「所定処理」（サービスの追加）と一致する。【０１６９】
個別サービスＳＶ−Ｍを追加する際には、当該追加を要求したコンテンツ（つまり、追加を示す「記述」を含んでいるコンテンツ）に対してサービス登録権ＰＲ２が付与されている場合のみ、サービス登録部１０１Ｂは、追加対象の個別サービスＳＶ−Ｍに対してコンテンツ利用権ＰＲ３およびデータアクセス権ＰＲ４を設定できる。【０１７０】
そのため、ステップ２３にて、権限判別部１０８は、サービス登録権限情報ＩＦ２のうちに個別サービスＳＶ−Ｍの追加を要求したコンテンツが登録されているかどうかを判別する。【０１７１】
図６ｂに例示したサービス登録権限情報ＩＦ２に個別サービスＳＶ−Ｍの追加を要求したコンテンツが登録されている場合、権限判別部１０８は、当該追加を要求したコンテンツに対してサービス登録権ＰＲ２が付与されていると判別する。【０１７２】
この場合、ステップ２４にて、サービス登録部１０１Ｂは、携帯端末１へと新たに追加する個別サービスＳＶ−Ｍに属するコンテンツに対して、コンテンツ利用権ＰＲ３とデータアクセス権ＰＲ４とを設定する。【０１７３】
また、コンテンツ書込部１０２により追加対象の個別サービスＳＶ−Ｍに属するコンテンツを記憶部１１１へと記憶することができるのは、当該個別サービスＳＶ−Ｍについてのデータアクセス権ＰＲ４が付与されたコンテンツのみである。【０１７４】
そのため、ステップ２５にて、権限判別部１０８は、追加対象の個別サービスＳＶ−Ｍに割り当てられたサービス領域ＳＡ−Ｍ内のデータアクセス権限情報ＩＦ４−Ｍのうちに、個別サービスＳＶ−Ｍの追加を要求したコンテンツが登録されているかどうかを判別する。【０１７５】
追加対象の個別サービスＳＶ−Ｍのデータアクセス権限情報ＩＦ４−Ｍに個別サービスの追加を要求したコンテンツが登録されている場合、権限判別部１０８は、当該追加を要求したコンテンツに対して、追加対象である個別サービスＳＶ−Ｍについてのデータアクセス権ＰＲ４が付与されていると判別する。【０１７６】
この場合、ステップ２６にて、コンテンツ書込部１０２は、サービス登録部１０１Ｂによりコンテンツ利用権ＰＲ３とデータアクセス権ＰＲ４とが付与された追加対象の個別サービスＳＶ−Ｍを構成するサービス構成コンテンツを、キャッシュ領域１１１Ａのうちで当該追加対象の個別サービスＳＶ−Ｍに割り当てられたサービス領域ＳＡ−Ｍへと書き込む。【０１７７】
以上で、携帯端末１が個別サービスＳＶ−Ｍを新たに追加するときの一連の動作が終了する。【０１７８】
また、記憶部１１１のメイン領域１１１Ｂに記憶されているローカルコンテンツＬＣを、キャッシュ領域１１１Ａ内の個別サービスとして追加する場合、図１０に示したステップ２１にて、コンテンツ読出部１０６が、ローカルコンテンツＬＣをメイン領域１１１Ｂから読み出すようにすればよい。そして、コンテンツ読出部１０６が読み出したローカルコンテンツＬＣについて、ステップ２２以降の動作を実行すればよい。【０１７９】
つぎに、上記構成を有するウェブアプリケーション管理システムにおいて、携帯端末１がキャッシュ領域１１１Ａに追加されている個別サービスＳＶ−１に属するコンテンツを実行する動作を説明する。【０１８０】
なお、個別サービスＳＶ−１のコンテンツの実行を要求するコンテンツは、携帯端末１内のローカルコンテンツＬＣとウェブサーバ２内のオンラインコンテンツＯＣとのいずれであってもよいが、この説明例では、ローカルコンテンツＬＣ（個別サービスＳＶ−１以外の個別サービス）であるものとする。このとき、コンテンツ読出部１０６は、記憶部１１１内のローカルコンテンツＬＣを読み出す。【０１８１】
図１１に示すように、ステップ３１にて、解釈部１０７は、コンテンツ読出部１０６が読み出したローカルコンテンツＬＣ（スクリプト）の記述内容が示す処理を解釈する。【０１８２】
ステップ３１では、例えば、削除処理の実行を示す記述が「ＤＥＬＥＴＥ」である場合、解釈部１０７は、当該実行中のコンテンツ内に「ＤＥＬＥＴＥ」の文字があるかを検索し、当該検索により「ＤＥＬＥＴＥ」が取得された場合に、削除であると解釈する。【０１８３】
まず、ローカルコンテンツＬＣの「記述」が示す任意の処理が「個別サービスＳＶ−１の削除」であると解釈部１０７が解釈した場合の動作について説明する。【０１８４】
削除対象の個別サービスＳＶ−１を削除する場合、当該削除を要求したローカルコンテンツＬＣに対して、個別サービスＳＶ−1についてのデータアクセス権ＰＲ４が付与されていることが必要である。【０１８５】
そのため、ステップ３２にて、権限判別部１０８は、個別サービスＳＶ−１のサービス領域ＳＡ−１内のデータアクセス権限情報ＩＦ４−１を参照し、個別サービスＳＶ−１の削除を実行するために必要なデータアクセス権ＰＲ４が、個別サービスＳＶ−１の削除を要求したローカルコンテンツＬＣに付与されているかどうかを判別する。【０１８６】
当該削除を行うためのデータアクセス権ＰＲ４が、削除を要求したローカルコンテンツＬＣに付与されていると権限判別部１０８が判別した場合、ステップ３３にて、サービス削除部１０３は、削除が要求された個別サービスＳＶ−１を記憶部１１１から削除する。【０１８７】
つぎに、ローカルコンテンツＬＣの「記述」が示す任意の処理が「個別サービスＳＶ−１に属するコンテンツの実行」であると解釈部１０７が解釈した場合の動作について説明する。【０１８８】
実行対象（遷移先コンテンツ）として個別サービスＳＶ−１のコンテンツを実行する場合、当該実行を要求したローカルコンテンツＬＣに対して、個別サービスＳＶ−1のコンテンツについてのコンテンツ利用権ＰＲ３が付与されていることが必要である。【０１８９】
そのため、ステップ３４にて、権限判別部１０８は、個別サービスＳＶ−1のコンテンツを実行するために必要なコンテンツ利用権ＰＲ３が、当該実行を要求したローカルコンテンツＬＣに付与されているかどうかを判別する。このとき、権限判別部１０８は、コンテンツ利用権限情報ＩＦ３−１における遷移元ＵＲＬ（識別情報）が示す格納場所に、当該実行を要求したローカルコンテンツＬＣが格納されている場合、当該実行についてのコンテンツ利用権ＰＲ３がローカルコンテンツＬＣに付与されていると権限判別部１０８が判別する。【０１９０】
この場合、ステップ３５にて、コンテンツ実行部１０９は、コンテンツ利用権限情報ＩＦ３−１において当該ローカルコンテンツＬＣと対応付けられている個別サービスＳＶ−1のコンテンツ（遷移先コンテンツ）を実行する。なお、コンテンツ利用権ＰＲ３がコンテンツに付与されていないと判別した場合、コンテンツ実行部１０９は、所定の権限エラー対応処理を実行してもよい。【０１９１】
なお、一般的に、サービスを実行する際、あるコンテンツから他のコンテンツへと遷移する場合（例えば、リンクやボタンの押下などの入力部１１３に対する操作による利用者のユーザインタラクション）も多い。このような場合、コンテンツ読出部１０６による遷移先コンテンツの読出処理、コンテンツ実行部１０９による処理が繰り返し実行される。【０１９２】
つぎに、ローカルコンテンツＬＣの「記述」が示す任意の処理が「個別サービスＳＶ−１に属するコンテンツの更新」であると解釈部１０７が解釈した場合の動作について説明する。【０１９３】
この場合、解釈した処理（個別サービスに属するコンテンツの更新）は、権限付与部１０１が付与したデータアクセス権ＰＲ４によって実行が許可される所定処理（コンテンツの更新）と一致する。つまり、更新対象の個別サービスＳＶ−１に属するコンテンツを更新する場合、当該更新を要求したローカルコンテンツＬＣに対して、個別サービスＳＶ−1のコンテンツについてのデータアクセス権ＰＲ４が付与されていることが必要である。【０１９４】
そのため、ステップ３６にて、権限判別部１０８は、個別サービスＳＶ−1のコンテンツの更新を実行するために必要なデータアクセス権ＰＲ４が、個別サービスＳＶ−1のコンテンツの更新を要求したコンテンツに付与されているかどうかを判別する。【０１９５】
当該更新を要求したコンテンツに対して、更新対象の個別サービスＳＶ−１に属するコンテンツについてのデータアクセス権ＰＲ４が付与されていると権限判別部１０８が判別した場合、ステップ３７にて、コンテンツ更新部１０４は、記憶部１１１内の当該コンテンツを更新する。【０１９６】
つぎに、ローカルコンテンツＬＣの「記述」が示す任意の処理が「個別サービスＳＶ−１に属するコンテンツの削除」であると解釈部１０７が解釈した場合の動作について説明する。【０１９７】
削除対象の個別サービスＳＶ−１に属するコンテンツを削除する場合、当該削除を要求したローカルコンテンツＬＣに対して、個別サービスＳＶ−1のコンテンツについてのデータアクセス権ＰＲ４が付与されていることが必要である。【０１９８】
そのため、ステップ３８にて、権限判別部１０８は、個別サービスＳＶ−1のコンテンツの削除を実行するために必要なデータアクセス権ＰＲ４が、個別サービスＳＶ−1のコンテンツの削除を要求したローカルコンテンツＬＣに付与されているかどうかを判別する。【０１９９】
当該削除を要求したローカルコンテンツＬＣに対して、削除対象の個別サービスＳＶ−１のコンテンツについてのデータアクセス権ＰＲ４が付与されていると権限判別部１０８が判別した場合、ステップ３９にて、コンテンツ削除部１０５は、削除対象のコンテンツをサービス領域ＳＡ−１から削除する。【０２００】
以上で、携帯端末１がローカルコンテンツＬＣの記述内容に応じて個別サービスＳＶ−1のコンテンツを実行する動作が終了する。【０２０１】
なお、以下に、ウェブサーバ２が、携帯端末１へと新規追加するための個別サービスＳＶ−Ｍを構成するオンラインコンテンツＯＣを、携帯端末１へと送信する動作を説明する。【０２０２】
このような動作は、例えば、携帯端末１がウェブサーバ２からのオンラインコンテンツＯＣが構成する個別サービスを追加するため、１次サービスＳＶ−Ｐのサービス構成コンテンツを送信する場合にも同様に当てはまる。【０２０３】
図１２に示すように、ステップ４１にて、通信部２０１は、携帯端末１から送信されてきた閲覧要求信号を受信する。【０２０４】
ステップ４２にて、ＵＲＬ識別部２０３は、通信部２０１が携帯端末１から受信した閲覧要求信号に記述されたＵＲＬが示す格納場所を識別する。【０２０５】
ステップ４３にて、コンテンツ抽出部２０４は、ＵＲＬ識別部２０３が識別した格納場所に記憶されているオンラインコンテンツＯＣを読み出す。【０２０６】
ステップ４４にて、通信部２０１は、コンテンツ抽出部２０４が読み出したオンラインコンテンツＯＣを携帯端末１へと送信する。【０２０７】
以上で、ウェブサーバ２がオンラインコンテンツＯＣを携帯端末１へと送信する動作が終了する。【０２０８】
以上説明したように、本発明の実施形態に従った携帯端末１によれば、コンテンツに対してコンテンツ利用権ＰＲ３（スクリプトの実行を許可するための権限）およびデータアクセス権ＰＲ４を付与し、コンテンツを実行する際に、解釈部１０７が解釈した処理内容に応じて、コンテンツ利用権ＰＲ３およびデータアクセス権ＰＲ４が付与されているかどうかを判別する。そして、コンテンツ利用権ＰＲ３およびデータアクセス権ＰＲ４が付与されていると判別した場合に、コンテンツを実行する。【０２０９】
これにより、携帯端末１の記憶部１１１のキャッシュ領域１１１Ａに記憶されているサービスを構成するデータに対してアクセスすることのできるコンテンツを制限することが可能となる。【０２１０】
そのため、互いに異なるサービスを提供するアプリケーションそれぞれが、自己のサービスに属するコンテンツの更新または削除を、自己が許可していない他のコンテンツによって実行されることを回避することができる。つまり、各サービス間でのセキュリティを保持することが可能となる。また、複数の個別サービスを連携させることにより１つのサービスを構成することが可能となる。【０２１１】
また、本発明によれば、個別サービスをキャッシュ領域１１１Ａへと新たに追加する場合、当該追加される個別サービスのコンテンツに対してサービス登録権ＰＲ２を付与しておく。そして、ローカルコンテンツＬＣやオンラインコンテンツＯＣの実行中にサービスを登録する場合、当該ローカルコンテンツＬＣやオンラインコンテンツＯＣに対してサービス登録権ＰＲ２が付与されているかどうかを判別する。そして、サービス登録権ＰＲ２が付与されていると判別した場合に、当該コンテンツに対して、サービスの登録を許可する。【０２１２】
これにより、個別サービスＳＶ−Ｍを登録できるコンテンツ（個別サービス提供者）を制限でき、携帯端末１内のサービス全体を管理する１次サービス提供者が意図しない個別サービスＳＶ−Ｍが登録されることを回避することができる。【０２１３】
また、実施形態１によれば、サービス提供者登録権ＰＲ１を付与されたコンテンツ、つまり、１次サービス提供者に属するコンテンツのみが、サービス登録権ＰＲ２を設定できる。そして、サービス登録権ＰＲ２を設定されたコンテンツのみが、サービスを登録することができる。【０２１４】
これにより、１次サービス提供者が設定した個別サービス提供者以外の個別サービス提供者がサービスを不正に登録することを回避できる。【０２１５】
また、本発明によれば、個別サービス提供者は、サービスを登録する場合、コンテンツ利用権ＰＲ３およびデータアクセス権ＰＲ４を設定できる。【０２１６】
当該個別サービスに属するコンテンツは、当該個別サービスについてのコンテンツ利用権ＰＲ３を付与されたコンテンツのみが実行可能である。【０２１７】
また、当該個別サービスが保持するデータを読出や書込を行うためには、当該個別サービスについてのデータアクセス権ＰＲ４を付与されたコンテンツのみが実行可能である。【０２１８】
サービス提供者登録権ＰＲ１、サービス登録権ＰＲ２、コンテンツ利用権ＰＲ３およびデータアクセス権ＰＲ４それぞれを付与し、個別サービスＳＶ−１を実行する際、サービス提供者登録権ＰＲ１、サービス登録権ＰＲ２、コンテンツ利用権ＰＲ３およびデータアクセス権ＰＲ４が付与されていると判別した場合に、他の個別サービスＳＶ−２〜ＳＶ−Ｎに属するサービス利用データＤＳ−２〜ＤＳ−Ｎなどにアクセスすることを許可する。このため、各サービス間でのセキュリティの保持することが可能となる。【０２１９】
また、複数の個別サービスＳＶ−１〜ＳＶ−Ｎを連携させることにより１つのサービスを構成した場合でも、当該構成したサービスを安全に提供することが可能となる。例えば、携帯端末１にて、チケット、会員証、クーポン、ポイントカードなどの様々な個別サービスが記憶されている場合、例えば、店舗Ａおよび店舗Ｂそれぞれに関する個別サービスが互いに連携したサービスを安全に提供することができる。【０２２０】
なお、本発明の要旨を逸脱しない範囲で各種の変形が可能である。【０２２１】
サービス登録部１０１Ｂは、データアクセス権ＰＲ４により許可される権限のうちのサービス利用データＤＳを読取るための読取権限と、サービス利用データＤＳを書込むための書込権限とを分離して、読取権限および書込権限それぞれを独立した権限としてコンテンツに対して付与するようにしてもよい。【０２２２】
また、サービス登録部１０１Ｂは、データアクセス権ＰＲ４を設定する対象のサービス利用データＤＳが複数存在する場合、サービス利用データＤＳそれぞれにデータアクセス権ＰＲ４を設定するようにしてもよい。【０２２３】
また、サービス登録部１０１Ｂは、ローカルコンテンツＬＣに対してコンテンツ利用権ＰＲ３を設定するに限らず、外部から実行されたコンテンツに対して、コンテンツ利用権ＰＲ３を設定するようにしてもよい。【０２２４】
例えば、サービス登録部１０１Ｂは、Ｗｅｂ連携（つまり、ネイティブなブラウザからのコンテンツの実行）した際のコンテンツへとコンテンツ利用権ＰＲ３を設定してもよい。【０２２５】
また、例えば、メール連携（電子メール用のアプリケーションからのコンテンツの実行）した際のコンテンツへとコンテンツ利用権ＰＲ３を付与してもよい。【０２２６】
また、サービス登録部１０１Ｂは、コンテンツ利用権ＰＲ３を設定する際、遷移先コンテンツは個別サービスを属するローカルコンテンツＬＣに限らず、ウェブサーバ２が記憶しているオンラインコンテンツＯＣであってもよい。【０２２７】
なお、本発明においては、携帯端末１内の処理は上述の専用のハードウェアにより実現されるもの以外に、その機能を実現するためのプログラムを携帯端末１にて読取可能な記録媒体に記録し、この記録媒体に記録されたプログラムを携帯端末１に読み込ませ、実行するものであってもよい。携帯端末１にて読取可能な記録媒体とは、フロッピーディスク（登録商標）、光磁気ディスク、ＤＶＤ、ＣＤなどの移設可能な記録媒体の他、携帯端末１に内蔵されたＨＤＤ等を指す。この記録媒体に記録されたプログラムは、例えば、携帯端末１が有する権限付与部１０１、コンテンツ書込部１０２、サービス削除部１０３、コンテンツ更新部１０４、コンテンツ削除部１０５、コンテンツ読出部１０６、解釈部１０７、権限判別部１０８およびコンテンツ実行部１０９にて読み込まれ、権限付与部１０１、コンテンツ書込部１０２、サービス削除部１０３、コンテンツ更新部１０４、コンテンツ削除部１０５、コンテンツ読出部１０６、解釈部１０７、権限判別部１０８およびコンテンツ実行部１０９の制御によって、上述したものと同様の処理が行われる。【０２２８】
ここで、携帯端末１が有する権限付与部１０１、コンテンツ書込部１０２、サービス削除部１０３、コンテンツ更新部１０４、コンテンツ削除部１０５、コンテンツ読出部１０６、解釈部１０７、権限判別部１０８およびコンテンツ実行部１０９は、プログラムが記録された記録媒体から読み込まれたプログラムを実行するコンピュータとして動作するものである。【０２２９】
なお、上述したプログラムは、ウェブサーバ２についても同様に適用可能である。【０２３０】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。【０２３１】
この出願は、２００８年４月３０日に出願された日本出願特願２００８−１１８４３５を基礎とする優先権を主張し、その開示のすべてをここに取り込む。
【図１】
2009133727.tif 000003
【図２】
2009133727.tif 000004
【図３】
2009133727.tif 000005
【図４】
2009133727.tif 000006
【図５】
2009133727.tif 000007
【図６ａ】
2009133727.tif 000008
【図６ｂ】
2009133727.tif 000009
【図７ａ】
2009133727.tif 000010
【図７ｂ】
2009133727.tif 000011
【図８】
2009133727.tif 000012
【図９】
2009133727.tif 000013
【図１０】
2009133727.tif 000014
【図１１】
2009133727.tif 000015
【図１２】
2009133727.tif 000016
【国際調査報告】
2009133727.tif 000017
2009133727.tif 000018